(57)【要約】      （修正有）【課題】非常に短いエコー時間を有する二重エコー測定の測定時間、従って画像データセットを取得するための全測定時間を最適化する方法を提供する。【解決手段】磁気共鳴装置により、磁気共鳴装置の測定ボリューム内にある撮像領域の二重エコー収集から、２つの生データセット３３，３６を生成する方法において、異なる時間で生データセット３３，３５として２つのエコー信号を収集して保存する際に、撮像領域に対応するｋ空間が、第１の生データセットについては完全に走査されそして第２の生データセットについては不完全に走査され、又は、第２の生データセットについては完全に走査されそして第１の生データセットについては不完全に走査される。完全な生データセットに基づくモデル４を用いて、不完全な生データセットの完全化６が行われる。【選択図】図３
2014091043.tif 000002
【特許請求の範囲】
【請求項１】
磁気共鳴装置（９）により、磁気共鳴装置（９）の測定ボリューム（Ｍ）内にある撮像領域の二重エコー収集（３８，３９）から、２つの生データセット(３３，３６)を生成する方法であって、
ａ）磁気共鳴装置（９）の高周波送受信装置により高周波励起パルス（８）を照射するステップ、
ｂ）その照射された励起パルス（８）から第１の時間（ＴＥ1）後に、高周波送受信装置により第１のエコー信号（３８）を収集し、その第１のエコー信号（３８）を第１の生データセットとして記憶するステップ、
ｃ）その照射された励起パルス（８）から、第１の時間（ＴＥ1）とは等しくない第２の時間（ＴＥ2）後に、高周波送受信装置により第２のエコー信号（３９）を収集し、その第２のエコー信号（３８）を第２の生データセットとして記憶するステップ、
ｄ）磁気共鳴装置（９）の傾斜磁場システム（１４）により空間エンコーディングのために異なる傾斜磁場（Ｇx，Ｇy，Ｇz）を照射しながら、終了基準に応じた最大繰り返し回数後に撮像領域に対応するｋ空間が第１の生データセットについては完全に走査されそして第２の生データセットについては不完全に走査され、又は、第２の生データセットについては完全に走査されそして第１の生データセットについては不完全に走査されているように、前記ステップａ）〜ｃ）を繰り返すステップ、
を含み、撮像領域に対応するｋ空間を走査するステップと、
磁気共鳴装置（９）の評価装置により、完全な生データセットに基づくモデル（４）を用いて不完全な生データセットの完全化（６）を行うステップと
を含む磁気共鳴装置の二重エコー収集からの生データセットの生成方法。
【請求項２】
完全な生データセットおよび完全化された生データセットからそれぞれ１つの画像データセット（３，７）が再構成される請求項１記載の方法。
【請求項３】
２つの再構成された画像データセット（３，７）から１つの差画像が算出される請求項２記載の方法。
【請求項４】
差画像の形成が撮像領域において支配的な時定数に依存した重み付けを含む請求項３記載の方法。
【請求項５】
撮像領域に対応するｋ空間が、第１の生データセットについては完全に走査されそして第２の生データセットについては半分だけ走査され、又は、第２の生データセットについては完全に走査されそして第１の生データセットについては半分だけ走査される請求項１乃至４の１つに記載の方法。
【請求項６】
第１の時間（ＴＥ1）が高周波送受信装置の送信モードと受信モードとの間の最小切換時間に一致する請求項１乃至５の１つに記載の方法。
【請求項７】
第１の生データセットの収集後に傾斜磁場（Ｇx，Ｇy，Ｇz）の極性切換が行われ、その後に第２の生データセットが収集される請求項１乃至６の１つに記載の方法。
【請求項８】
繰り返しステップｄ）において、撮像領域に対応するｋ空間が、第１の生データセットについてはｋ空間の１つの象限において半径方向軌跡に沿って走査され、第２の生データセットについてはｋ空間全体を通して半径方向軌跡に沿って走査されている請求項１乃至７の１つに記載の方法。
【請求項９】
測定ボリューム（Ｍ）内に磁場および傾斜磁場を発生するための磁石ユニットおよび傾斜磁場システムを有するトモグラフと、そのトモグラフを制御するための制御ユニットと、トモグラフによって収集されたエコー信号（３８，３９）を受信し高周波励起パルス（８）を送信するための送受信装置と、信号を評価して２つの生データセット（３３，３６）を生成するための評価装置とを備え、測定ボリューム（Ｍ）内にある撮像領域の二重エコー収集（３８，３９）から、２つの生データセット(３３，３６)を生成する磁気共鳴装置（９）であって、
トモグラフが撮像領域に対応するｋ空間を走査し、かつ次のステップａ）乃至ｄ）
ａ）磁気共鳴装置（９）の高周波送受信装置により高周波励起パルス（８）を照射するステップと、
ｂ）その照射された励起パルス（８）から第１の時間（ＴＥ1）後に、高周波送受信装置により第１のエコー信号（３８）を収集し、その第１のエコー信号（３８）を第１の生データセットとして記憶するステップと、
ｃ）その照射された励起パルス（８）から、第１の時間（ＴＥ1）とは等しくない第２の時間（ＴＥ2）後に、高周波送受信装置により第２のエコー信号（３９）を収集し、その第２のエコー信号（３８）を第２の生データセットとして記憶するステップと、
ｄ）磁気共鳴装置（９）の傾斜磁場システム（１４）により空間エンコーディングのために異なる傾斜磁場（Ｇx，Ｇy，Ｇz）を照射しながら、終了基準に応じた最大繰り返し回数後に、撮像領域に対応するｋ空間が第１の生データセットについては完全に走査されそして第２の生データセットについては不完全に走査され、又は、第２の生データセットについては完全に走査されそして第１の生データセットについては不完全に走査されているように前記ステップａ）〜ｃ）を繰り返すステップと、
を実行するように構成されており、
磁気共鳴装置（９）の評価装置が、完全な生データセットに基づくモデル（４）を用いて不完全な生データセットの完全化（６）を行うように構成されている磁気共鳴装置（９）。
【請求項１０】
磁石ユニットおよび傾斜磁場システム（１４）を有するトモグラフと、制御ユニットと、送受信ユニットと、評価装置とが、請求項１乃至８の１つに記載の方法を実行するように構成されている請求項９記載の磁気共鳴装置（９）。
【請求項１１】
プログラムを含み、磁気共鳴装置（９）のプログラム可能な制御装置のメモリ内に直接的にロード可能であるコンピュータプログラム製品であって、プログラムが磁気共鳴装置（９）の制御装置において実行されるときに請求項１乃至８の１つに記載の方法の全てのステップを実行するためのプログラム手段を有するコンピュータプログラム製品。
【請求項１２】
電子的に読取可能な制御情報が記憶されている電子的に読取可能なデータ担体（２７）であって、磁気共鳴装置（９）の制御装置内でのデータ担体（２７）の使用時に請求項１乃至８の１つに記載の方法を実行するように構成されている電子的に読取可能なデータ担体（２７）。
【発明の詳細な説明】
【技術分野】
【０００１】
本発明は、磁気共鳴装置の二重エコー収集からの生データセットの生成方法、この種の方法の実施を可能にする相応のコンピュータプログラム製品、ならびにこのための磁気共鳴装置に関する。
【背景技術】
【０００２】
非常に短いエコー時間ＴＥ（例えばＴＥ＜５００μｓ）で磁気共鳴データ（略してＭＲデータ）を取得することによって、磁気共鳴トモグラフィにおいて新しい応用分野が提供される。それによって、例えば（Ｔ）ＳＥシーケンス（（ターボ）スピンエコーシーケンス）又はＧＲＥシーケンス（グラジエントエコーシーケンス）のような従来のシーケンスによっては表示できなかった物質又は組織を表示することができる。表示できなかった理由は、この物質又は組織のＴ２時間、即ち横磁化の緩和時間がエコー時間よりも明らかに短く、撮影時点で既にこの物質又は組織の対応する信号が減衰していることにある。相応の減衰時間の範囲内にあるエコー時間を用いて、例えば骨、歯又は氷を、たとえこれらの対象物のＴ２時間が３０〜８０μｓの範囲内にあるにもかかわらず、ＭＲ画像内に表示することができる。
【０００３】
短いエコー時間を可能にする試みは、自由誘導減衰（ＦＩＤ）を検出することによってｋ空間を点状に走査することである。このような方法は、シングルポイントイメージング法とも呼ばれる。というのは、高周波励起ごとにｋ空間内において基本的には１つの生データ点しか検出されないからである。このようなシングルポイントイメージング法のための方法の一例がＲＡＳＰ法である（例えば、非特許文献１参照）。ＲＡＳＰ法によれば、高周波励起後からエコー時間ＴＥまでの固定の時点で、ｋ空間において傾斜磁場によって位相をエンコードされた１つの生データ点が読み出される。それらの傾斜磁場は磁気共鳴装置により生データ点もしくは測定点ごとに変化させられ、従ってｋ空間が点ごとに逐一走査される。
【０００４】
例えば骨のように非常に短いＴ２時間を有する物質又は組織のみを表示する画像を生成するために、例えばＲＡＳＰ法を２回実行するのが通常である。１回目において、ＲＡＳＰ法は、例えば骨がまだ信号を供給するように短いエコー時間ＴＥで動作する。２回目において、ＲＡＳＰ法は、骨がもはや信号を供給しないように相応に長いエコー時間ＴＥで動作する。ＲＡＳＰ法の各回は、それぞれ１つの画像を供給し、このようにして生成された２つの画像を互いに減算することによって、結果として生じる差画像には、非常に短いＴ２時間を有する組織又は物質のみが表示されている。
【先行技術文献】
【非特許文献】
【０００５】
【非特許文献１】O.Heid, M.Deimling,“Rapid Signal Point (RASP) Imaging”, SMR, 3rd Annual Meeting, p.684, 1995
【発明の概要】
【発明が解決しようとする課題】
【０００６】
本発明の課題は、非常に短いエコー時間を有する二重エコー測定の測定時間、従って磁気共鳴装置により画像データセットを取得するための全測定時間を最適化することにある。
【課題を解決するための手段】
【０００７】
この課題は請求項１記載の方法によって解決される。この課題は、更に請求項９記載の磁気共鳴装置、請求項１１記載のコンピュータプログラム製品、ならびに請求項１２記載のコンピュータ読取可能な記憶媒体によって解決される。本発明の有利な実施形態はそれぞれに従属の請求項に示されている。
【０００８】
以下において、特許請求される方法に関して、課題の本発明による解決手段を説明する。ここで述べる特徴、利点又は選択的実施形態は、特許請求される別の対象にも同様に転用することができ、またその逆の転用も可能である。換言するならば、例えば装置に向けられた具体的な請求項は、方法に関連して説明される又は特許請求される特徴によっても、展開されている。方法の相応の機能的特徴は、相応の具体的なモジュール、特にハードウェアモジュールによって構成される。
【０００９】
本発明は、アンダーサンプリング（不完全走査）された生データセットを完全に走査された生データセットに基づいて完全化するためのモデルを使用して、非常に短いエコー時間を有する二重エコー測定の測定時間を明白に低減する。
【００１０】
磁気共鳴装置により磁気共鳴装置の測定ボリューム内にある撮像領域の二重エコー収集から２つの生データセットを生成する方法であって、
ａ）磁気共鳴装置の高周波送受信装置により高周波励起パルスを照射するステップ、
ｂ）その照射された励起パルスから（つまり励起パルスの照射後に）第１の時間後に、高周波送受信装置により第１のエコー信号を収集し、その第１のエコー信号を第１の生データセットとして記憶するステップ、
ｃ）その照射された励起パルスから、第１の時間とは等しくない第２の時間後に、高周波送受信装置により第２のエコー信号を収集し、その第２のエコー信号を第２の生データセットとして記憶するステップ、
ｄ）磁気共鳴装置の傾斜磁場システムにより空間エンコーディングのために異なる傾斜磁場を照射しながら、終了基準に応じた最大繰り返し回数後に、撮像領域に対応するｋ空間が第１の生データセットについては完全に走査されそして第２の生データセットについては不完全に走査され、又は、第２の生データセットについては完全に走査されそして第１の生データセットについては不完全に走査されているように、前記ステップａ）〜ｃ）を繰り返すステップ、
を含み、撮像領域に対応するｋ空間を走査するステップと、
磁気共鳴装置の評価装置により、完全な生データセットに基づくモデルを用いて不完全な生データセットの完全化を行うステップと、
を含む磁気共鳴装置の二重エコー収集からの生データセットの生成方法が提供される。
【００１１】
本発明による上述の終了基準に従ったステップａ）〜ｃ）の繰り返しによって、両生データセットのうちの一方だけを完全に走査することで十分である。この完全に走査された生データセットは、その後、不完全に走査された生データセットを完全化するための基礎として用いられる。
【００１２】
圧縮センシング（Compressed Sensing）とも呼ばれるこの種の方法を画像データセット供給プロセスに組み込むことによって、非常に短いエコー時間を有する二重エコー測定の測定時間を短縮することができる。
【００１３】
好ましい実施形態では、完全な生データセットおよび完全化された生データセットからそれぞれ１つの画像データセットが再構成される。二重エコー測定全体の測定時間を短縮することによって、各生データセットから画像が再構成されるまでの時間も短縮される。
【００１４】
有利な実施形態では、２つの再構成された画像データセットから１つの差画像が算出される。第１の走査過程の際に取得される結果には、（骨、歯および氷を含めて）ほぼ全ての物質および組織からの信号が含まれており、第２の走査過程の際に取得される結果には、それ相応に長いＴ２時間を有する物質および組織からの信号しか含まれていない。従って、差画像は、第２の画像にはもはや含まれていないほど短いＴ２時間を有する物質および組織のみを含む。従って、例えば、差画像において骨のみを表示させることができる。そのためには、例えば、第２の走査が、高周波励起パルスの時点から４００μｓよりも若干長い時間後に（つまり、４００μｓのエコー時間により）行われることで十分である。何故ならば、骨からの信号は、この時間（４００μｓ）後には既に減衰しているからである。
【００１５】
本発明による実施形態は、差画像の算出時に、撮像領域において支配的な時定数に依存した重み付けを含む。
【００１６】
一実施例において、撮像領域に対応するｋ空間が、第１の生データセットについては完全に走査されそして第２の生データセットについては半分だけ走査され、又は、第２の生データセットについては完全に走査されそして第１の生データセットについては半分だけ走査される。このようにして繰り返し回数、従って測定時間を５０％まで低減することができる。
【００１７】
有利な実施例では、最後に照射された励起パルス後にエコー信号の収集が開始されるまでに経過する時間ＴＥ1は、高周波送受信装置の送信モードと受信モードとの間の最小切換時間に等しい。従って、この方法では、エコー時間ＴＥ1がハードウェア定数によって下方に制限されているだけである。
【００１８】
好適な適用例では、第１のエコー信号データセット（生データセット）の収集後に傾斜磁場（Ｇx，Ｇy，Ｇz）の極性切換が行われ、その後に第２のエコー信号データセット（生データセット）が収集される。
【００１９】
格別に好適な適用例では、撮像領域に対応するｋ空間が、第１の生データセットについてはｋ空間の１つの象限において半径方向軌跡に沿って走査され、第２の生データセットについてはｋ空間全体を通して半径方向軌跡に沿って走査される。
【００２０】
本発明においては、二重エコー収集から２つの生データセットを生成する磁気共鳴装置も提供される。磁気共鳴装置は、測定ボリューム内に磁場（静磁場）および傾斜磁場を発生するための磁石ユニット（静磁場磁石ユニット）および傾斜磁場システムを有するトモグラフ（断層撮影装置）と、そのトモグラフを制御するための制御ユニットと、トモグラフによって収集されるエコー信号を受信し高周波励起パルスを送信する送受信装置と、それらの信号を評価して２つの生データセットを生成するための評価装置とを含む。
【００２１】
トモグラフ（断層撮影装置）は、撮像領域に対応するｋ空間を走査し、かつ次のステップａ）乃至ｄ）を実行するように構成されている。
ａ）磁気共鳴装置の高周波送受信装置により高周波励起パルスを照射するステップ、
ｂ）その照射された励起パルスから（つまり励起パルスの照射後に）第１の時間後に、高周波送受信装置により第１のエコー信号を収集し、その第１のエコー信号を第１の生データセットとして記憶するステップ、
ｃ）その照射された励起パルスから、第１の時間とは等しくない第２の時間後に、高周波送受信装置により第２のエコー信号を収集し、その第２のエコー信号を第２の生データセットとして記憶するステップ、
ｄ）磁気共鳴装置の傾斜磁場システムによる空間エンコーディングのための異なる傾斜磁場を照射しながら前記ステップａ）〜ｃ）を、次のように繰り返す、即ち終了基準に応じた最大繰り返し回数後に撮像領域に対応するｋ空間が第１の生データセットについては完全に走査されそして第２の生データセットについては不完全に走査され、又は、第２の生データセットについては完全に走査されそして第１の生データセットについては不完全に走査されるように繰り返すステップ、
を実行するように構成されている。
【００２２】
評価装置は、完全な生データセットに基づくモデルを用いて不完全な生データセットの完全化を行うように構成されている。
【００２３】
更に、本発明は、コンピュータプログラム製品、特にコンピュータプログラム、または磁気共鳴装置のプログラム可能な制御部もしくは計算ユニットのメモリ内にロード可能なソフトウェアに関する。このコンピュータプログラム製品を用いて、そのコンピュータプログラム製品が磁気共鳴装置の制御部又は制御装置において作動するときに、本発明による方法の全ての又は前述の種々の実施形態を実施することができる。コンピュータプログラム製品は、その方法の相応の実施形態を実現するために、場合によっては、プログラム手段、例えばライブラリおよび補助機能を必要とする。換言するならば、コンピュータプログラム製品に向けられた請求項により、特に、本発明による方法の上述の実施形態の１つが実施可能である、又はこの実施形態を実施するコンピュータプログラム又はソフトウェアが保護されるべきである。そのソフトウェアは、なおもコンパイルされて結合されるか又は翻訳されなければならないソースコードであるか、又は実行するために相応のコンピュータユニットにロードするだけでよい実行可能なソフトウェアコードである。
【００２４】
更に、本発明は、電子的に読取可能な制御情報、特にソフトウェアが記憶されているコンピュータ読取可能な記憶媒体、例えばＤＶＤ、磁気テープ又はＵＳＢスティックに関する。これらの制御情報をデータ担体から読み取って磁気共鳴装置の制御部もしくは計算ユニットに格納すれば、上述の方法の全ての本発明による実施形態を実施することができる。
【００２５】
本発明による磁気共鳴装置、本発明によるコンピュータプログラム製品、および本発明によるコンピュータ読取可能な記憶媒体の利点は、既に詳しく説明した本発明による方法の利点に概ね対応するので、ここでは繰り返して説明しない。
【００２６】
以下において、図示された実施例に基づいて本発明を更に詳細に説明する。
【図面の簡単な説明】
【００２７】
【図１】図１は本発明による磁気共鳴装置の概略図を示す。
【図２】図２はＰＥＴＲＡシーケンスによる二重エコー収集の信号収集のための概略タイムチャートを示す。
【図３】図３は本発明による方法のフローチャートを示す。
【発明を実施するための形態】
【００２８】
図１は磁気共鳴装置９（磁気共鳴イメージング装置もしくは核スピントモグラフィ装置）の概略図を示す。静磁場磁石１０は、テーブル１２上に横たわり検査のために磁気共鳴装置９の中に挿入される例えば人体の検査部位のような被検体１１の検査範囲において核スピンを分極もしくは整列させるための時間的に一定の強い磁場を発生する。核スピン共鳴測定に必要な静磁場の高い均一性は、人体の検査部位が挿入される一般に球形の測定ボリュームＭ内において規定されている。均一性要求を支援しかつ特に時間的に変化しない影響を除去するために、適切な個所に強磁性材料からなる所謂シム板が取り付けられる。時間的に変化する影響は、それが望ましくない場合に、シムコイル１３によって除去される。
【００２９】
静磁場磁石１０の中には３つの部分巻線からなる円筒状の傾斜磁場システム１４が挿入されている。各部分巻線は、増幅器から、直交座標系の各方向に直線状の（時間的にも可変の）傾斜磁場を発生するための電流を供給される。傾斜磁場システム１４の第１の部分巻線はｘ方向の傾斜磁場Ｇxを発生し、第２の部分巻線はｙ方向の傾斜磁場Ｇyを発生し、第３の部分巻線はｚ方向の傾斜磁場Ｇzを発生する。増幅器は、傾斜磁場パルスを時間正しく発生させるためにシーケンス制御部１５によって制御されるディジタル・アナログ変換器ＤＡＣを含む。
【００３０】
傾斜磁場システム１４内には少なくとも１つの高周波アンテナ１６がある。高周波アンテナ１６は、高周波電力増幅器から送出された高周波パルスを、被検体１１つまり被検体１１の検査領域の核を励起しかつ核スピンを整列させるための交番磁場に変換する。各高周波アンテナ１６は、コンポーネントコイルのリング状配置の形で、好ましくは直線配置もしくはマトリックス配置の形で、１つ又は複数の高周波送信コイルと、複数の高周波受信コイルもしくは高周波受信アンテナとから構成されている。各高周波アンテナ１６の高周波受信コイルによって、同様に、歳差運動をする核スピンから出る交番磁場、即ち、一般には１つ又は複数の高周波パルスと１つ又は複数の傾斜磁場パルスとからなるパルスシーケンスによってひき起こされた各スピンエコー信号が、電圧（測定信号）に変換される。この電圧は増幅器１７を介して高周波システム１９の高周波受信チャネル１８に供給される。高周波システム１９は更に送信チャネル２０を含み、この送信チャネル２０において核磁気共鳴を励起させるための高周波パルスが発生される。各高周波パルスは、装置コンピュータ２１からシーケンス制御部１５に予め与えられるパルスシーケンスに基づいてディジタルにて複素数列として具現される。この複素数列は実数部および虚数部としてそれぞれ１つの入力端２２を介して高周波システム１９内のディジタル・アナログ変換器ＤＡＣに供給され、そしてディジタル・アナログ変換器ＤＡＣから送信チャネル２０に供給される。送信チャネル２０においては、パルスシーケンスが高周波キャリア信号に変調される。高周波キャリア信号は、測定ボリューム内の核スピンの共鳴周波数に相当する基本周波数を有する。
【００３１】
送信動作から受信動作への切換は送受信切換器２３を介して行われる。高周波アンテナ１６の高周波送信コイルは核スピンを励起するための高周波パルスを測定ボリュームＭへ照射し、その結果生じるエコー信号が高周波受信コイルを介して走査される。このようにして得られた核共鳴信号は、高周波システム１９の受信チャネル２４、即ち第１の復調器において位相敏感に中間周波数に復調され、アナログ・ディジタル変換器ＡＤＣにおいてディジタル化される。この信号は更に周波数０に復調される。周波数０への復調と、実数部および虚数部への分離とは、ディジタル化後に第２の復調器１８におけるディジタル領域で行われ、この第２の復調器１８は出力端３２に接続されている。
【００３２】
画像コンピュータ２５によって、そのようにして得られた測定データからＭＲ画像が再構成される。測定データ、画像データおよび制御プログラムの管理は装置コンピュータ２１を介して行われる。制御プログラムを予め与えることによって、シーケンス制御部１５が、その都度に所望されるパルスシーケンスの発生およびｋ空間の相応の走査を制御する。シーケンス制御部１５は、特に傾斜磁場の時間正しい照射と、定められた位相および振幅を有する高周波パルスの送信と、核共鳴信号の受信とを制御する。高周波システム１９およびシーケンス制御部１５のための時間基準にシンセサイザ２６が使用される。ＭＲ画像の作成のために例えばＤＶＤ２７に記憶されている相応の制御プログラムの選択および作成されたＭＲ画像の表示は、キーボード２９、マウス３０および画面３１を含む端末装置２８を介して行われる。
【００３３】
図２はＰＥＴＲＡシーケンスによる二重エコー収集の信号収集のための概略図を示す。時間ＴＥ1後に第１のエコー信号３８が収集された後に傾斜磁場の極性が切り換えられ、時間ＴＥ2後に第２のエコー信号３９が収集される。エコー信号３８，３９は生データセットとして保存される。
【００３４】
第１の生データセットの取得のために投影の半分がｋ空間の中心から外側に向かって撮像されるのに対して、第２の生データセットの取得の際にｋ空間が完全に走査される。従って、最小繰り返し時間は、１つのみの生データセットを有する撮像に比べて２〜３倍だけ増加する。
【００３５】
繰り返し回数は、第１の生データセットのｋ空間を完全に走査するために必要とされる半投影の数に相当する。第２の生データセットのｋ空間は本来必要とされるよりも２倍の密度（走査密度）で走査される。
【００３６】
繰り返し回数が例えば５０％低減されると、このケースでは第２の生データセット３３のｋ空間が完全に走査されるのに対して、第１の生データセット３５のｋ空間は必要とされる半分の密度（走査密度）で走査される。このことは、或る特定の繰り返し回数に基づく終了基準に相当する。この本発明による方法は、アンダーサンプリングされた生データセット３５を、完全に走査された生データセット３３に基づいて完全化するためのモデルを必要とする。これは、例えば圧縮センシングアルゴリズムによって達成される。
【００３７】
図２に示された実施例にでは、高周波励起パルス８が照射される前に、傾斜磁場Ｇx，Ｇy，Ｇzが照射される。これは、既述のＰＥＴＲＡシーケンスに特有のものであり、本発明による方法の前提ではない。
【００３８】
図３は本発明による方法のフローチャートを示す。方法ステップ１において走査過程が開始され、方法ステップ５および２の期間にｋ空間が第１の生データセットについては不完全に走査され、第２の生データセットについては完全に走査される。この結果、不完全な第１のデータセット３５および完全な第２の生データセット３３が生じる。
【００３９】
完全な第２の生データセット３３は、方法ステップ４において、アンダーサンプリングされた第１の生データセット３５の完全化のためのモデルとして利用される。方法ステップ６において、このモデルが、アンダーサンプリングされた第１の生データセット３５の完全化のために、その第１の生データセット３５に適用される。この結果、完全化された第１の生データセット３６が生じる。従って、方法ステップ７において、完全化された第１の生データセット３６から第１の画像データセット３７が再構成される。
【００４０】
方法ステップ３において、完全に走査された第２の生データセット３３から第２の画像データセット３４の再構成が行われる。
【００４１】
選択的に、方法ステップ２と５との交換も可能である。即ち、ｋ空間を第２の生データセットについては不完全に走査し、第１の生データセットについては完全に走査することも可能である。引き続いて画像再構成が上述の方法と同様にして行われる。
【００４２】
以上のとおり、本発明は、磁気共鳴装置により磁気共鳴装置の測定ボリューム内にある撮像領域の二重エコー収集から２つの生データセットを生成する方法、コンピュータプログラム製品およびコンピュータ読取可能な記憶媒体、ならびに磁気共鳴装置に関する。異なる時点で生データセットとして２つのエコー信号を収集して保存する際に、撮像領域に対応するｋ空間が、第１の生データセットについてのみ完全に走査されそして第２の生データセットについては不完全に走査され、又は、第２の生データセットについてのみ完全に走査されそして第１の生データセットについては不完全に走査される。不完全な生データセットの完全化が、完全に走査された生データセットに基づくモデルを用いて行われる。
【符号の説明】
【００４３】
１〜７      方法ステップ
８          高周波励起パルス
９          磁気共鳴装置
１０        静磁場磁石
１１        被検体
１２        テーブル
１３        シムコイル
１４        傾斜磁場システム
１５        シーケンス制御部
１６        高周波アンテナ
１７        増幅器
１８        高周波受信チャネル（第２の復調器）
１９        高周波システム
２０        送信チャネル
２１        装置コンピュータ
２２        入力端
２３        送受信切換器
２４        受信チャネル（第１の復調器）
２５        画像コンピュータ
２６        シンセサイザ
２７        ＤＶＤ
２８        端末装置
２９        キーボード
３０        マウス
３１        画面
３２        出力端
３３        第２の生データセット
３４        第２の画像データセット
３５        第１の生データセット
３６        完全化された第１の生データセット
３７        第１の画像データセット
３８        第１のエコー信号
３９        第２のエコー信号
【図１】
2014091043.tif 000003
【図２】
2014091043.tif 000004
【図３】
2014091043.tif 000005